(57)【特許請求の範囲】
【請求項１】
設置床に設置された四角い枠状の制御装置用架台の上に配設されるキャビネット内に、制御機器が収容され、前記設置床下からの既設ケーブルが前記制御機器に接続され、前記制御装置用架台の枠内部の一部が余剰開口部として前記キャビネットから突出している既設制御装置を、新設制御装置に取り替えるための制御装置取替方法であって、
前記設置床下からの新設ケーブルを、前記余剰開口部を通して前記新設制御装置の制御機器に接続するケーブル接続ステップと、
前記既設ケーブルを前記既設制御装置から取り外し、前記既設制御装置を撤去する撤去ステップと、
前記既設制御装置が設置されていた位置に前記新設制御装置を移動する移動ステップと、
を備えることを特徴とする制御装置取替方法。
【請求項２】
設置床に設置される四角い枠状で、上に制御装置のキャビネットが配設される制御装置用架台であって、
枠を構成する辺の少なくとも一辺が、該一辺に対向する一辺に対して進退動自在な可動辺であり、該可動辺が対向する一辺側に前進した状態では、該可動辺が前記キャビネットの側壁とほぼ同位置に位置し、該可動辺が対向する一辺側から後退した状態では、該可動辺と前記キャビネットの側壁との間にケーブルを挿通可能な余剰開口部が形成される、
ことを特徴とする制御装置用架台。
【発明の詳細な説明】
【技術分野】
【０００１】
この発明は、制御盤や配電盤、リレー盤などの制御装置を取り替える制御装置取替方法および、制御装置を設置するための制御装置用架台に関する。
【背景技術】
【０００２】
例えば、寿命や故障などにより、既設の制御盤を新たな制御盤に取り替える（据え替える）際に、配電盤室が狭いため、あるいは各種機器や設備などが密集しているために、新たな制御盤を設置するスペースを配電盤室内に確保できない場合がある。このような場合に、既設の制御盤の設置スペースに、新たな制御盤を設置する技術が知られている（例えば、特許文献１参照。）。
【０００３】
この技術は、既設の制御盤を設置床から持ち上げて（嵩上げして）、既設の制御盤と設置床との間に空間を形成する。そして、この空間を介して、設置床下からの新ケーブルを新たな制御盤に接続し、既設の制御盤を設置スペースから撤去した後に、新たな制御盤を設置スペースに設置するものである。
【先行技術文献】
【特許文献】
【０００４】
【特許文献１】特開２００７−０９７３４０号公報
【発明の概要】
【発明が解決しようとする課題】
【０００５】
ところで、上記の特許文献１に記載の方法では、既設の制御盤を設置床から持ち上げるため、既設の制御盤に接続されているすべてのケーブルも持ち上げられる。すなわち、持ち上げるだけの余長が、全ケーブルに必要となり、ケーブルに余長がない場合には、この方法を用いることができない。
【０００６】
さらに、既設の制御盤を設置床から持ち上げるため、既設の制御盤と天井との間に隙間を要し、持ち上げるだけの隙間がない場合には、この方法を用いることができない。そして、この方法を用いることができない場合には、既設の制御盤を別の場所に移設した後に、新たな制御盤を設置しなければならないため、多大な時間と労力、費用を要することになる。
【０００７】
そこでこの発明は、設置状態や設置環境などに制限されることなく、より確実に既設の制御装置（既設制御装置）を新たな制御装置（新設制御装置）に取り替えることが可能な制御装置取替方法および制御装置用架台を提供することを目的とする。
【課題を解決するための手段】
【０００８】
上記課題を解決するために、請求項１の発明は、設置床に設置された四角い枠状の制御装置用架台の上に配設されるキャビネット内に、制御機器が収容され、前記設置床下からの既設ケーブルが前記制御機器に接続され、前記制御装置用架台の枠内部の一部が余剰開口部として前記キャビネットから突出している既設制御装置を、新設制御装置に取り替えるための制御装置取替方法であって、前記設置床下からの新設ケーブルを、前記余剰開口部を通して前記新設制御装置の制御機器に接続するケーブル接続ステップと、前記既設ケーブルを前記既設制御装置から取り外し、前記既設制御装置を撤去する撤去ステップと、前記既設制御装置が設置されていた位置に前記新設制御装置を移動する移動ステップと、を備えることを特徴とする。
【０００９】
この発明によれば、設置床下からの新設ケーブルを、余剰開口部を通して新設制御装置の制御機器に接続し、既設ケーブルを既設制御装置から取り外して既設制御装置を撤去し、既設制御装置が設置されていた位置に、つまり、制御装置用架台の上に新設制御装置を移動する。
【００１０】
請求項２の発明は、設置床に設置される四角い枠状で、上に制御装置のキャビネットが配設される制御装置用架台であって、枠を構成する辺の少なくとも一辺が、該一辺に対向する一辺に対して進退動自在な可動辺であり、該可動辺が対向する一辺側に前進した状態では、該可動辺が前記キャビネットの側壁とほぼ同位置に位置し、該可動辺が対向する一辺側から後退した状態では、該可動辺と前記キャビネットの側壁との間にケーブルを挿通可能な余剰開口部が形成される、ことを特徴とする。
【００１１】
この発明によれば、可動辺を対向する一辺側から後退させることで、可動辺とキャビネットの側壁との間に余剰開口部が形成され、設置床下からのケーブル（新設ケーブル）を通せるようになる。その後、可動辺を対向する一辺側に前進させることで、可動辺がキャビネットの側壁とほぼ同位置に位置する。
【発明の効果】
【００１２】
請求項１の発明によれば、キャビネットから突出している制御装置用架台の余剰開口部に新設ケーブルを通して新設制御装置に接続した後に、既設制御装置を撤去するため、既設制御装置を持ち上げる必要がない。つまり、既設ケーブルに所要の余長を要したり、既設制御装置と天井との間に所要の隙間を要したりしない。このため、設置状態や設置環境などに制限されることなく、既設制御装置が設置されていた位置（制御装置用架台の上）に新設制御装置を設置することができる。すなわち、新設制御装置を設置するスペースを確保できない場合であっても、より確実に既設制御装置を新設制御装置に取り替えることができる。
【００１３】
しかも、制御装置用架台の余剰開口部に新設ケーブルを通して新設制御装置に接続すればよいため、容易かつ迅速、安全に取替を行うことができる。
【００１４】
請求項２の発明によれば、可動辺を対向する一辺側から後退させることで、可動辺とキャビネットの側壁との間に余剰開口部が形成され、設置床下からの新設ケーブルを通せるようになっている。このため、この制御装置用架台の上に配設された制御装置（既設制御装置）を新設制御装置に取り替える際に、請求項１の発明と同様に、設置状態や設置環境などに制限されることなく、より確実に既設制御装置を新設制御装置に取り替えることができる。しかも、新設制御装置への取り替え後などには、可動辺を対向する一辺側に前進させることで、可動辺がキャビネットの側壁とほぼ同位置に位置するため、歩行や作業などの邪魔にならない。
【図面の簡単な説明】
【００１５】
【図１】この発明の実施の形態１に係る制御盤を示す概略図（ａ）と、チャンネルベースを示す概略図（ｂ）である。
【図２】この発明の実施の形態１において、既設制御盤が設置されている状態を示す図である。
【図３】この発明の実施の形態１の制御装置取替方法において、新設制御盤を仮置きした状態を示す図である。
【図４】図３に続いて、設置床下からの新設ケーブルを、余剰開口部を通して新設制御盤の制御機器に接続する状態を示す図である。
【図５】図４に続いて、既設ケーブルを既設制御盤の制御機器から取り外す状態を示す図である。
【図６】図５に続いて、既設制御盤を撤去、移動する状態を示す図である。
【図７】図６に続いて、新設制御盤を移動する状態を示す図である。
【図８】図７に続いて、新設制御盤を設置し終えた状態を示す図である。
【図９】この発明の実施の形態２に係るチャンネルベースの可動辺を前進させた状態（ａ）と、可動辺を後退させた状態（ｂ）とを示す平面図である。
【発明を実施するための形態】
【００１６】
以下、この発明を図示の実施の形態に基づいて説明する。
【００１７】
（実施の形態１）
図１〜８は、この実施の形態に係る制御装置取替方法における各ステップ・工程等を示す図である。この制御装置取替方法は、既設制御盤（既設制御装置）１００を新設制御盤（新設制御装置）２００に取り替えるための方法、特に、既設制御盤１００が設置されている位置・場所に新設制御盤２００を設置する方法である。ここで、図１〜８においては、説明、理解を容易にするため、制御盤１００、２００の一部内部を図示し、かつ簡略化して図示している。
【００１８】
まず、制御盤１００、２００の概略構造や設置状態などについて説明するが、既設制御盤１００と新設制御盤２００とは構造や設置状態などが同等であるため、既設制御盤１００に対してのみ説明する。すなわち、既設制御盤１００は、図１（ａ）および図２に示すように、筐体状・箱状のキャビネット１１０を備え、このキャビネット１１０内に各種の制御機器１２０や部材（図示せず）などが収容されている。
【００１９】
キャビネット１１０は、チャンネルベース（制御装置用架台）３００の上に載せられるフレーム１１１と、このフレーム１１１の各辺から立ち上がる側壁（ドアを含む）１１２とを有し、必要に応じて天板を備えている。フレーム１１１は、平面形状が四角い枠状（「ロ」字状）に形成され、フレーム１１１の枠内を通って、既設ケーブル１３０が制御機器１２０に接続されるようになっている。ここで、フレーム１１１と各側壁１１２とが一体的に構成されたものであってもよい。
【００２０】
一方、設置床Ｆには、既設制御盤１００の設置位置に（フレーム１１１の枠内に）ケーブル孔Ｆ１が形成され、床下（地下）のケーブル処理室（図示せず）からの複数の既設ケーブル１３０が、ケーブル孔Ｆ１を介して設置床Ｆ上に立ち上げられ、その端部が制御機器１２０に接続されている。このように、既設ケーブル１３０は、既設制御盤１００の真下から立ち上がり、フレーム１１１内を通っている。また、設置床Ｆには、後述する新設ケーブル２３０なども設置床Ｆ上に立ち上げられるように、予め複数のケーブル孔Ｆ１、あるいは大きなケーブル孔Ｆ１が形成されている。
【００２１】
また、チャンネルベース３００は、設置床Ｆに設置され、制御盤１００、２００を設置するための架台であり、図１（ｂ）に示すように、平面形状が四角い（長方形の）枠状に形成されている。このチャンネルベース３００の高さは、後述するようにして複数のケーブル１３０、２３０を敷設できるように設定されている。
【００２２】
さらに、チャンネルベース３００の幅Ｗ２は、制御盤１００のキャビネット１１０（フレーム１１１）の幅Ｗ１とほぼ同寸法であり、チャンネルベース３００の奥行Ｄ２は、キャビネット１１０の奥行Ｄ１よりも長くなっている。これにより、チャンネルベース３００上に制御盤１００が設置された際に、図２に示すように、チャンネルベース３００の枠内部（枠内空間）の一部が、余剰開口部３０１として制御盤１００の前面（ドア面）から突出するようになっている。つまり、チャンネルベース３００が制御盤１００の前面から突出し、チャンネルベース３００の枠内の空間部（余剰開口部３０１）が、制御盤１００の前面から露出するようになっている。ここで、この余剰開口部３０１は、後述するようにして新設ケーブル２３０などのケーブルを挿通可能な大きさとなっている。
【００２３】
このように、チャンネルベース３００が制御盤１００、２００の前面から突出するのは、例えば、次のようなケースによるものである。すなわち、既設制御盤１００よりも以前に設置されていた制御盤のフレームが既設制御盤１００のフレーム１１１よりも大きく、この制御盤のフレームの大きさに適合するように使用していたチャンネルベース３００をそのまま利用し、このチャンネルベース３００の上に既設制御盤１００を設置した場合である。つまり、既設制御盤１００のフレーム１１１よりも大きい既設のチャンネルベース３００の上に、既設制御盤１００を設置した場合である。あるいは、既設制御盤１００を取り替える際に以下に述べる本制御装置取替方法を適用できるようにするために、既設制御盤１００のフレーム１１１よりも大きいチャンネルベース３００を予め設置・使用した場合である。
【００２４】
次に、このような既設制御盤１００に対する本制御装置取替方法について説明する。
【００２５】
図２に示すように、既設制御盤１００が上記のようにして設置されており、この既設制御盤１００を新設制御盤２００に取り替える場合に、まず、図３に示すように、既設制御盤１００の周辺の空スペースに、新設制御盤２００を仮置きする。このとき、仮架台３１０の上に新設制御盤２００を載置し、新設制御盤２００の下面と設置床Ｆとの間に空間を設け、後述する新設ケーブル２３０を配設できるようにする。
【００２６】
続いて、ケーブル接続ステップとして、図４に示すように、設置床Ｆ下からの新設ケーブル２３０を、余剰開口部３０１を通して新設制御盤２００の制御機器２２０に接続する。すなわち、床下のケーブル処理室からの複数の新設ケーブル２３０を、ケーブル孔Ｆ１を通して設置床Ｆ上に立ち上げ、既設制御盤１００のフレーム１１１の下方から余剰開口部３０１を通過させて新設制御盤２００側に敷設する。そして、新設制御盤２００と設置床Ｆとの間の空間に新設ケーブル２３０を通して新設制御盤２００（キャビネット２１０）内に取り込み、新設ケーブル２３０の端部を制御機器２２０に接続する。
【００２７】
その後、既設制御盤１００から新設制御盤２００に通電を切り替えて、既設制御盤１００を通電停止状態とし、新設制御盤２００を通電可能状態とする。これにより、既設ケーブル１３０は停電状態となる。
【００２８】
次に、撤去ステップとして、既設ケーブル１３０を既設制御盤１００から取り外し、既設制御盤１００を撤去する。すなわち、まず、図５に示すように、すべての既設ケーブル１３０を既設制御盤１００の制御機器１２０から取り外し、設置床Ｆから引き下ろして、ケーブル処理室から撤去する。その後、既設制御盤１００内の制御機器１２０などを取り外し、できるだけ既設制御盤１００を軽量な状態（できるだけキャビネット１１０のみの状態）とする。そして、図６に示すように、既設制御盤１００を水平に移動させて、既設制御盤１００をチャンネルベース３００（設置スペース）から移動、撤去する。
【００２９】
続いて、移動ステップとして、既設制御盤１００が設置されていた位置に新設制御盤２００を移動する。すなわち、図７に示すように、新設制御盤２００をチャンネルベース３００側に移動して、新設制御盤２００を水平移動させて（横滑りさせて）チャンネルベース３００の上に載置し、既設制御盤１００があった設置スペース（チャンネルベース３００）に設置する。そして、新設ケーブル２３０の余長を引っ張って、ケーブル処理室内に収納する。さらに、図８に示すように、チャンネルベース３００の余剰開口部３０１の上を塞ぐように、化粧板３０２をチャンネルベース３００に取り付けるものである。
【００３０】
以上のように、この制御装置取替方法によれば、既設制御盤１００のキャビネット１１０から突出しているチャンネルベース３００の余剰開口部３０１に新設ケーブル２３０を通して新設制御盤２００に接続した後に、既設制御盤１００を水平移動させて撤去するため、既設制御盤１００を持ち上げる（嵩上げする）必要がない。すなわち、既設ケーブル１３０に所要の余長を要したり、既設制御盤１００と配電盤室の天井との間に所要の隙間を要したりしない。このため、設置状態や設置環境などに制限されることなく、既設制御盤１００が設置されていた位置に新設制御盤２００を設置することができる。すなわち、新設制御盤２００を設置するスペースを確保できない場合であっても、より確実に既設制御盤１００を新設制御盤２００に取り替えることができる。
【００３１】
しかも、チャンネルベース３００の余剰開口部３０１に新設ケーブル２３０を通して新設制御盤２００に接続すればよいため、容易かつ迅速、安全に取替を行うことができる。さらに、既設ケーブル１３０に所要の余長を要しないため、ケーブル費用を削減することができ、また、既設制御盤１００を別の場所に移設する必要がないため、取替費用を軽減することができる。
【００３２】
（実施の形態２）
この実施の形態では、図９に示すように、チャンネルベース（制御装置用架台）４００が実施の形態１と構成が異なり、実施の形態１と同等の構成については、同一符号を付することで、その説明を省略する。
【００３３】
すなわち、チャンネルベース４００は、設置床Ｆに設置される四角い枠状で、上に既設制御盤１００（新設制御盤２００も同様）のキャビネット１１０が配設される架台であり、前面辺（枠を構成する一辺）４０１と、背面辺（対向する一辺）４０２と、側面辺４０３、４０４とから枠が構成されている。そして、前面に位置する前面辺４０１が、背面辺４０２に対して進退動自在な可動辺となっている。
【００３４】
具体的には、各辺４０１〜４０４は、断面が長方形の中空角材で構成され、前面辺４０１の両端には、前面辺４０１の長手方向に対して垂直に延びる腕部４０１ａが設けられ、この両腕部４０１ａが側面辺４０３、４０４内に挿入されている。そして、両腕部４０１ａを側面辺４０３、４０４に対して出し入れさせることで、前面辺４０１が背面辺４０２に対して進退動できるようになっている。
【００３５】
このような前面辺４０１が、図９（ａ）に示すように、背面辺４０２側に前進した状態では、前面辺４０１がキャビネット１１０の側壁（ドア面）１１２とほぼ同位置（面一）に位置する。つまり、チャンネルベース４００が既設制御盤１００から突出しない。一方、図９（ｂ）に示すように、前面辺４０１が背面辺４０２側から後退した状態では、前面辺４０１とキャビネット１１０の側壁１１２との間に、ケーブル１３０、２３０を挿通可能な余剰開口部４１０（図９（ｂ）中、前面辺４０１と二点鎖線との間の空間）が形成される。すなわち、前面辺４０１が既設制御盤１００の前面から突出し、実施の形態１における余剰開口部３０１と同様な余剰開口部４１０が形成されるようになっている。
【００３６】
また、側面辺４０３、４０４の少なくとも一方には、止めネジ（図示せず）が取り付けられ、この止めネジを締め付けることで、腕部４０１ａの出し入れを止めて、前面辺４０１の位置を仮固定できるようになっている。
【００３７】
このような実施の形態によれば、前面辺４０１を背面辺４０２側から後退させることで、前面辺４０１と既設制御盤１００（キャビネット１１０）の側壁１１２との間に余剰開口部４１０が形成され、設置床Ｆ下からの新設ケーブル２３０を通せるようになる。このため、このチャンネルベース４００の上に配設された既設制御盤１００を新設制御盤２００に取り替える際に、実施の形態１と同様に、設置状態や設置環境などに制限されることなく、より確実に既設制御盤１００を新設制御盤２００に取り替えることができる。
【００３８】
しかも、新設制御盤２００への取り替え後などには、前面辺４０１を背面辺４０２側に前進させることで、前面辺４０１が新設制御盤２００（キャビネット２１０）の側壁１１２とほぼ面一に位置するため、歩行や作業などの邪魔にならない。ここで、新設制御盤２００をチャンネルベース４００の上に配設した後に、前面辺４０１を背面辺４０２側に前進させてもよいし、既設制御盤１００をチャンネルベース４００から撤去した後に前面辺４０１を前進させ、その上に新設制御盤２００を配設してもよい。
【００３９】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態１では、チャンネルベース３００の余剰開口部３０１が制御盤１００、２００の前面から突出する場合について説明したが、制御盤１００、２００が設置される配電盤室の形状や設置場所などに応じて、制御盤１００、２００の背面や側面からチャンネルベース３００の余剰開口部３０１が突出する場合であってもよい。また、前面と背面など、２つ以上の面からチャンネルベース３００の余剰開口部３０１が突出する場合であってもよい。
【００４０】
また、上記の実施の形態２では、前面辺４０１のみが可動辺として進退動自在となっているが、配電盤室の形状や設置場所などに対応できるように、複数の辺４０１〜４０４を可動辺としてもよい。さらに、新設ケーブル２３０の径や数などに応じて、前面辺４０１の一部のみが進退動するようにしてもよい。
【００４１】
一方、制御装置には、制御盤や配電盤、リレー盤などを含み、キャビネット・筐体内に各種機器・設備が収容され、床下からケーブルが接続されているものが含まれる。
【符号の説明】
【００４２】
１００    既設制御盤（既設制御装置）
１１０    キャビネット
１１１    フレーム
１２０    制御機器
１３０    既設ケーブル
２００    新設制御盤（新設制御装置）
２１０    キャビネット
２２０    制御機器
２３０    新設ケーブル
３００    チャンネルベース（制御装置用架台）
３０１    余剰開口部
３０２    化粧板
４００    チャンネルベース（制御装置用架台）
４０１    前面辺（枠を構成する一辺、可動辺）
４０２    背面辺（対向する一辺）
４１０    余剰開口部
Ｆ        設置床
Ｆ１      ケーブル孔
【図１】
0005856124.tif 000002
【図２】
0005856124.tif 000003
【図３】
0005856124.tif 000004
【図４】
0005856124.tif 000005
【図５】
0005856124.tif 000006
【図６】
0005856124.tif 000007
【図７】
0005856124.tif 000008
【図８】
0005856124.tif 000009
【図９】
0005856124.tif 000010